(57)【特許請求の範囲】
【請求項１】
無線通信ネットワークで少なくとも２つの搬送波（Ｃａｒｒｉｅｒ）のチャネル特性を少なくとも一つの基地局に報告する加入者局（Ｓｕｂｓｃｒｉｂｅｒ  ｓｔａｔｉｏｎ）において、  第１搬送波に対する周期的（ｐｅｒｉｏｄｉｃ）第１チャネル状態情報（ＣＳＩ：ｃｈａｎｎｅｌ  ｓｔａｔｕｓ  ｉｎｆｏｍａｔｉｏｎ）報告及び第２搬送波に対する周期的第２チャネル状態情報報告を伝送するトランシーバーを含み、
前記トランシーバーは、同じサブフレームで前記第１チャネル状態情報報告及び前記第２チャネル状態情報報告が衝突する場合であって、前記第１チャネル状態情報報告の第１報告タイプ及び前記第２チャネル状態情報報告の第２報告タイプに割り当てられた優先順位が異なる場合、前記優先順位の高いチャネル状態情報報告を送信し、
前記トランシーバーは、前記同じサブフレームで前記第１チャネル状態情報報告及び前記第２チャネル状態情報報告が衝突する場合であって、前記第１報告タイプ及び前記第２報告タイプに割り当てられた優先順位が同じ場合、相対的に低い識別子を有する搬送波のためのチャネル状態情報報告を送信することを特徴とする加入者局。
【請求項２】
前記優先順位は、前記報告タイプが属するクラスによって決定され、
前記クラスは、最も優先順位の高い第１クラス、最も優先順位の低い第３クラス、前記第１クラスより低く前記第３クラスより高い優先順位の第２クラスを含み、
前記第１クラスは、タイプ２ａ報告、タイプ３報告、タイプ５報告、及びタイプ６報告を含み、
前記第２クラスは、タイプ２報告、タイプ２ｂ報告、タイプ２ｃ報告、及びタイプ４報告を含み、
前記第３クラスは、タイプ１報告、及びタイプ１ａ報告を含むことを特徴とする請求項１に記載の加入者局。
【請求項３】
無線通信ネットワークで少なくとも２つの搬送波（Ｃａｒｒｉｅｒ）のチャネル特性を少なくとも一つの基地局に報告する加入者局（Ｓｕｂｓｃｒｉｂｅｒ  ｓｔａｔｉｏｎ）において、
プライマリー（ｐｒｉｍａｒｙ）セルに対応する搬送波に対する、周期的（ｐｅｒｉｏｄｉｃ）第１チャネル状態情報（ＣＳＩ：ｃｈａｎｎｅｌ  ｓｔａｔｕｓ  ｉｎｆｏｍａｔｉｏｎ）報告及び第２搬送波に対する周期的第２チャネル状態情報報告を伝送するトランシーバーを含み、
前記トランシーバーは、同じサブフレームで前記第１チャネル状態情報報告及び前記第２チャネル状態情報報告が衝突する場合であって、前記第１チャネル状態情報報告の第１報告タイプ及び前記第２チャネル状態情報報告の第２報告タイプに割り当てられた優先順位が異なる場合、前記優先順位の高いチャネル状態情報報告を送信し、
前記トランシーバーは、前記同じサブフレームで前記第１チャネル状態情報報告及び前記第２チャネル状態情報報告が衝突する場合であって、前記第１報告タイプ及び前記第２報告タイプに割り当てられた優先順位が同じ場合、前記プライマリーセルに対応する搬送波に対するチャネル状態情報報告を送信する
ことを特徴とする加入者局。
【請求項４】
無線通信ネットワークで、少なくとも一つの加入者局から少なくとも２つの搬送波（ｃａｒｒｉｅｒ）のチャネル特性を受信する基地局において、  第１搬送波に対する周期的（ｐｅｒｉｏｄｉｃ）第１チャネル状態情報（ＣＳＩ：ｃｈａｎｎｅｌ  ｓｔａｔｕｓ  ｉｎｆｏｍａｔｉｏｎ）報告及び第２搬送波に対する周期的第２チャネル状態情報報告を受信するトランシーバーを含み、  前記トランシーバーは、同じサブフレームで前記第１チャネル状態情報報告及び前記第２チャネル状態情報報告が衝突する場合であって、前記第１チャネル状態情報報告の第１報告タイプ及び前記第２チャネル状態情報報告の第２報告タイプに割り当てられた優先順位が異なる場合、前記優先順位の高いチャネル状態情報報告を受信し、
前記トランシーバーは、前記同じサブフレームで前記第１チャネル状態情報報告及び前記第２チャネル状態情報報告が衝突する場合であって、前記第１報告タイプ及び前記第２報告タイプに割り当てられた優先順位が同じ場合、相対的に低い識別子を有する搬送波のためのチャネル状態情報報告を受信すること確認することを特徴とする基地局。
【請求項５】
前記優先順位は、前記報告タイプが属するクラスによって決定され、
前記クラスは、最も優先順位の高い第１クラス、最も優先順位の低い第３クラス、前記第１クラスより低く前記第３クラスより高い優先順位の第２クラスを含み、
前記第１クラスは、タイプ２ａ報告、タイプ３報告、タイプ５報告、及びタイプ６報告を含み、
前記第２クラスは、タイプ２報告、タイプ２ｂ報告、タイプ２ｃ報告、及びタイプ４報告を含み、
前記第３クラスは、タイプ１報告、及びタイプ１ａ報告を含むことを特徴とする請求項４に記載の基地局。
【請求項６】
無線通信ネットワークで 少なくとも一つの加入者局（Ｓｕｂｓｃｒｉｂｅｒ  ｓｔａｔｉｏｎ）から、少なくとも２つの搬送波（Ｃａｒｒｉｅｒ）のチャネル特性を受信する基地局において、
プライマリー（ｐｒｉｍａｒｙ）セルに対応する搬送波に対する、周期的（ｐｅｒｉｏｄｉｃ）第１チャネル状態情報（ＣＳＩ：ｃｈａｎｎｅｌ  ｓｔａｔｕｓ  ｉｎｆｏｍａｔｉｏｎ）報告及び第２搬送波に対する周期的第２チャネル状態情報報告を伝送するトランシーバーを含み、
前記トランシーバーは、同じサブフレームで前記第１チャネル状態情報報告及び前記第２チャネル状態情報報告が衝突する場合であって、前記第１チャネル状態情報報告の第１報告タイプ及び前記第２チャネル状態情報報告の第２報告タイプに割り当てられた優先順位が異なる場合、前記優先順位の高いチャネル状態情報報告を受信し、
前記トランシーバーは、前記同じサブフレームで前記第１チャネル状態情報報告及び前記第２チャネル状態情報報告が衝突する場合であって、前記第１報告タイプ及び前記第２報告タイプに割り当てられた優先順位が同じ場合、前記プライマリーセルに対応する搬送波に対するチャネル状態情報報告を受信することを特徴とする基地局。
【請求項７】
無線通信ネットワークで少なくとも２つの搬送波（ｃａｒｒｉｅｒ）のチャネル特性を少なくとも一つの基地局に報告する方法において、  第１搬送波に対する周期的（ｐｅｒｉｏｄｉｃ）第１チャネル状態情報（ＣＳＩ：ｃｈａｎｎｅｌ  ｓｔａｔｕｓ  ｉｎｆｏｍａｔｉｏｎ）報告及び第２搬送波に対する周期的第２チャネル状態情報報告を伝送するステップを含み、
前記周期的第１チャネル状態情報報告及び前記周期的第２チャネル状態情報報告を送信するステップは、
同じサブフレームで前記第１チャネル状態情報報告及び前記第２チャネル状態情報報告が衝突する場合であって、前記第１チャネル状態情報報告の第１報告タイプ及び前記第２チャネル状態情報報告の第２報告タイプに割り当てられた優先順位が異なる場合、前記優先順位の高いチャネル状態情報報告を送信するステップと、
同じサブフレームで前記第１チャネル状態情報報告及び前記第２チャネル状態情報報告が衝突する場合であって、前記第１報告タイプ及び前記第２報告タイプに割り当てられた優先順位が同じ場合、相対的に低い識別子を有する搬送波のためのチャネル状態情報報告を送信するステップと、を含むことを特徴とする方法。
【請求項８】
前記優先順位は、前記報告タイプが属するクラスによって決定され、
前記クラスは、最も優先順位の高い第１クラス、最も優先順位の低い第３クラス、前記第１クラスより低く前記第３クラスより高い優先順位の第２クラスを含み、
前記第１クラスは、タイプ２ａ報告、タイプ３報告、タイプ５報告、及びタイプ６報告を含み、
前記第２クラスは、タイプ２報告、タイプ２ｂ報告、タイプ２ｃ報告、及びタイプ４報告を含み、
前記第３クラスは、タイプ１報告、及びタイプ１ａ報告を含むことを特徴とする請求項７に記載の方法。
【請求項９】
無線通信ネットワークで少なくとも２つの搬送波（ｃａｒｒｉｅｒ）のチャネル特性を少なくとも一つの基地局に報告する方法において、
プライマリー（ｐｒｉｍａｒｙ）セルに対応する搬送波に対する、周期的（ｐｅｒｉｏｄｉｃ）第１チャネル状態情報（ＣＳＩ：ｃｈａｎｎｅｌ  ｓｔａｔｕｓ  ｉｎｆｏｍａｔｉｏｎ）報告及び第２搬送波に対する周期的第２チャネル状態情報報告を伝送ステップを含み、
前記周期的第１チャネル状態情報報告及び第２搬送波に対する周期的第２チャネル状態情報報告を送信するステップは、
同じサブフレームで前記第１チャネル状態情報報告及び前記第２チャネル状態情報報告が衝突する場合であって、前記第１チャネル状態情報報告の第１報告タイプ及び前記第２チャネル状態情報報告の第２報告タイプに割り当てられた優先順位が異なる場合、前記優先順位の高いチャネル状態情報報告を送信するステップと、
前記同じサブフレームで前記第１チャネル状態情報報告及び前記第２チャネル状態情報報告が衝突する場合であって、前記第１報告タイプ及び前記第２報告タイプに割り当てられた優先順位が同じ場合、前記プライマリーセルに対応する搬送波に対するチャネル状態情報報告を送信するステップを含むことを特徴とする方法。
【請求項１０】
無線通信ネットワークで加入者局から少なくとも２つの搬送波（ｃａｒｒｉｅｒ）のチャネル特性を受信する方法において、  第１搬送波に対する周期的（ｐｅｒｉｏｄｉｃ）第１チャネル状態情報（ＣＳＩ：ｃｈａｎｎｅｌ  ｓｔａｔｕｓ  ｉｎｆｏｍａｔｉｏｎ）報告及び第２搬送波に対する周期的第２チャネル状態情報報告を受信するステップを含み、
前記周期的第１チャネル状態情報報告及び周期的第２チャネル状態情報報告を受信するステップは、
同じサブフレームで前記第１チャネル状態情報報告及び前記第２チャネル状態情報報告が衝突する場合であって、前記第１チャネル状態情報報告の第１報告タイプ及び前記第２チャネル状態情報報告の第２報告タイプに割り当てられた優先順位が異なる場合、前記優先順位の高いチャネル状態情報報告を受信するステップと、
同じサブフレームで前記第１チャネル状態情報報告及び前記第２チャネル状態情報報告が衝突する場合であって、前記第１報告タイプ及び前記第２報告タイプに割り当てられた優先順位が同じ場合、相対的に低い識別子を有する搬送波のためのチャネル状態情報報告を受信するステップと、を含むことを特徴とする方法。
【請求項１１】
前記優先順位は、前記報告タイプが属するクラスによって決定され、
前記クラスは、最も優先順位の高い第１クラス、最も優先順位の低い第３クラス、前記第１クラスより低く前記第３クラスより高い優先順位の第２クラスを含み、
前記第１クラスは、タイプ２ａ報告、タイプ３報告、タイプ５報告、及びタイプ６報告を含み、
前記第２クラスは、タイプ２報告、タイプ２ｂ報告、タイプ２ｃ報告、及びタイプ４報告を含み、
前記第３クラスは、タイプ１報告、及びタイプ１ａ報告を含むことを特徴とする請求項１０に記載の方法。
【請求項１２】
無線通信ネットワークで加入者局（Ｓｕｂｓｃｒｉｂｅｒ  ｓｔａｔｉｏｎ）から少なくとも２つの搬送波（Ｃａｒｒｉｅｒ）のチャネル特性を受信する方法において、
プライマリー（ｐｒｉｍａｒｙ）セルに対応する搬送波に対する、周期的（ｐｅｒｉｏｄｉｃ）第１チャネル状態情報（ＣＳＩ：ｃｈａｎｎｅｌ  ｓｔａｔｕｓ  ｉｎｆｏｍａｔｉｏｎ）報告及び第２搬送波に対する周期的第２チャネル状態情報報告を受信するステップを含み、
前記周期的第１チャネル状態情報報告及び前記周期的第２チャネル状態情報報告を受信するステップは、
同じサブフレームで前記第１チャネル状態情報報告及び前記第２チャネル状態情報報告が衝突する場合であって、前記第１チャネル状態情報報告の第１報告タイプ及び前記第２チャネル状態情報報告の第２報告タイプに割り当てられた優先順位が異なる場合、前記優先順位の高いチャネル状態情報報告を受信するステップと、
前記同じサブフレームで前記第１チャネル状態情報報告及び前記第２チャネル状態情報報告が衝突する場合であって、前記第１報告タイプ及び前記第２報告タイプに割り当てられた優先順位が同じ場合、前記プライマリーセルに対応する搬送波に対するチャネル状態情報報告を受信するステップを含むことを特徴とする方法。
【請求項１３】
前記優先順位は、前記報告タイプが属するクラスによって決定され、
前記クラスは、最も優先順位の高い第１クラス、最も優先順位の低い第３クラス、前記第１クラスより低く前記第３クラスより高い優先順位の第２クラスを含み、
前記第１クラスは、タイプ２ａ報告、タイプ３報告、タイプ５報告、及びタイプ６報告を含み、
前記第２クラスは、タイプ２報告、タイプ２ｂ報告、タイプ２ｃ報告、及びタイプ４報告を含み、
前記第３クラスは、タイプ１報告、及びタイプ１ａ報告を含む
ことを特徴とする請求項１２に記載の方法。
【発明の詳細な説明】
【技術分野】
【０００１】
本発明は一般的に無線ネットワークに関するものであり、特に搬送波集積（ｃａｒｒｉｅｒ  ａｇｇｒｅｇａｔｉｏｎ）のための周期的なチャネル状態報告のためのシステム及びその方法に関するものである。
【背景技術】
【０００２】
３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ）において、直交周波数分割多重化（ＯＦＤＭ）はダウンリンク（ＤＬ）伝送方式で採用される。
【０００３】
３ＧＰＰ  ＬＴＥ標準は、真の４世代（４Ｇ）携帯電話ネットワークの実現における最後のステップである。米国の大部分の主な移動通信事業者と一部の世界的な事業者は、２００９年、ネットワークをＬＴＥビギニング（ｂｅｇｉｎｎｉｎｇ）に転換する計画を発表した。ＬＴＥはＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）の拡張セットである。３ＧＰＰリリース８の多くの部分はａｌｌ−ＩＰフラット（ｆｌａｔ）ネットワーキングアーキテクチャを含む４Ｇ移動通信技術の採用に焦点を合わせている。
【０００４】
３ＧＰＰ  ＬＴＥ標準は、ダウンリンク（即ち、基地局から移動局まで）にＯＦＤＭを使用する。ＯＦＤＭは、多くの直交周波数（又は副搬送波）を伝送する多重搬送波伝送技術である。直交副搬送波は個別に変調され、周波数に分離されて互いに干渉しない。これは、多重経路に高いスペクトル効率と抵抗効果を提供する。
【０００５】
ここで、完全に提示された以下の資料と標準は本発明に統合される。１）Ｄｏｃｕｍｅｎｔ  Ｎｏ．Ｒ１−１０１６８３，“Ｗａｙ  Ｆｒｏｗａｒｄ  Ｆｏｒ  ＰＵＣＣＨ”，Ｎｏｖｅｍｂｅｒ  ２０１：，２）Ｄｏｃｕｍｅｎｔ  Ｎｏ．Ｒ１−１０６５５７，“ＣＲ０２７０  Ｉｎｔｒｏｄｕｃｔｉｏｎ  ｏｆ  Ｒｅｌ−１０  ｆｅａｔｕｒｅｓ”，Ｄｅｃｅｍｂｅｒ  ２０１０．
【０００６】
Ｒｅｌｅａｓｅ  １０  ＬＴＥ  ｓｙｓｔｅｍにおいて、移動局（又はユーザ端末（ＵＥ））はプリコーダー（ｐｒｅｃｏｄｅｒ）行列インデックス（ＰＭＩ）、ランク指示子（ＲＩ）及びチャネル品質指示子（ＣＱＩ）を基地局（又はｅＮｏｄｅＢ）にフィードバックする。フィードバックコンテンツと一つのコンポーネントキャリア内で周期的なチャネル状態報告（ＰＵＣＣＨ，ＣＱＩ／ＰＭＩ／ＲＩ報告）のための詳しい事項に対するシグナリングはＤｏｃｕｍｅｎｔ  Ｎｏ．Ｒ１−１０１６８３で完結された。即ち、使用される３つのＰＵＣＣＨフィードバックモードは、ＰＵＣＣＨ１−１のサブモード１、ＰＵＣＣＨ１−１のサブモード２及びＰＵＣＣＨ２−１である。Ｄｏｃｕｍｅｎｔ  Ｎｏ．Ｒ１−１０６５５７によると、以下の報告タイプはＲｅｌ−１０で支援される。
【０００７】
タイプ１報告は、ＵＥが選択したサブバンドに対するＣＱＩフィードバックを支援する。
【０００８】
タイプ１ａ報告は、サブバンドＣＱＩ及び第２ＰＭＩフィードバックを支援する。
【０００９】
タイプ２、タイプ２ｂ及びタイプ２ｃ報告は、広帯域ＣＱＩ及びＰＭＩフィードバックを支援する。
【００１０】
タイプ２ａ報告は、広帯域ＰＭＩフィードバックを支援する。
【００１１】
タイプ３報告は、ＲＩフィードバックを支援する。
【００１２】
タイプ４報告は、広帯域ＣＱＩを支援する。
【００１３】
タイプ５報告は、ＲＩ及び広帯域ＰＭＩフィードバックを支援する。
【００１４】
タイプ６報告は、ＲＩ及びＰＴＩフィードバックを支援する。
【発明の概要】
【発明が解決しようとする課題】
【００１５】
本発明が解決しようとする課題は、無線ネットワークにおける搬送波集積のための周期的なチャネル状態報告のためのシステム及びその方法を提供することである。
【課題を解決するための手段】
【００１６】
少なくとも一つの基地局にチャネル特性を報告することができる加入者局が提供される。加入者局は、チャネル状態情報（ＣＳＩ）フィードバック報告を伝送するトランシーバーを含む。加入者局はまた、少なくとも２つの個別に構成されたアップリンク制御チャネル（ＰＵＣＣＨ）で少なくとも２つのコンポーネント搬送波に対して周期的なＣＳＩ報告を行う制御部を含む。同じサブフレームで第１ＰＵＣＣＨに対する第１報告タイプと第２ＰＵＣＣＨに対する第２報告タイプが衝突する場合、制御部は２つの報告タイプそれぞれが複数のクラスのものであるのかを判断する。クラスはランク指示子（ＲＩ）関連報告タイプと広帯域（ＷＢ）Ｗ１報告タイプを含む第１クラスと、ＷＢ報告タイプとＷＢチャネル品質指示子（ＣＱＩ）報告タイプのうち少なくとも一つを含む第２クラスと、サブバンド（ＳＢ）関連報告タイプ及びＷ１報告タイプのうち少なくとも一つを含む第３クラスと、を含む。制御部はまた、優先順位を割り当てる優先順位規則をクラスのうち一つに適用してトランシーバーが上位クラスに含まれた報告タイプを伝送し、下位クラスに含まれた報告タイプをドロップ（ｄｒｏｐ）するようにする。
【００１７】
少なくとも一つの加入者局から少なくとも２つのコンポーネント搬送波のチャネル特性を受信することができる基地局が提供される。基地局は、チャネル状態情報（ＣＳＩ）フィードバック報告を受信するトランシーバーを含む。基地局はまた、少なくとも２つの個別に構成された物理的なアップリンク制御チャネル（ＰＵＣＣＨ）の前記少なくとも２つのコンポーネント搬送波に対するＣＳＩ報告評価を行う制御部を含む。同じサブフレームで第１ＰＵＣＣＨに対する第１報告タイプと第１ＰＵＣＣＨに対する第２報告タイプが衝突する場合、制御部は前記２つの報告タイプそれぞれが複数のクラスのうち一つであると判断する。クラスはランク指示子（ＲＩ）関連報告タイプと広帯域（ＷＢ）Ｗ１報告タイプを含む第１クラスと、ＷＢ報告タイプとＷＢチャネル品質指示子（ＣＱＩ）報告タイプのうち少なくとも一つを含む第２クラスと、サブバンド（ＳＢ）関連報告タイプ及びＷ１報告タイプのうち少なくとも一つを含む第３クラスと、を含む。制御部は優先順位を決定する優先順位規則をクラスのうち一つに適用して上位クラスに含まれた報告タイプを受信し、下位クラスに含まれた報告タイプがドロップされたことを確認する。
【００１８】
少なくとも２つのコンポーネント搬送波に対する特性を少なくとも一つの基地局に報告する方法が提供される。その方法は、少なくとも２つの個別に構成された物理的なアップリンク制御チャネル（ＰＵＣＣＨ）の前記少なくとも２つのコンポーネント搬送波に対する周期的なチャネル状態情報（ＣＳＩ）のフィードバック報告を行うことである。同じサブフレームで第１ＰＵＣＣＨに対する第１報告タイプと第２ＰＵＣＣＨに対する第２報告タイプが衝突する場合、２つの報告タイプそれぞれは複数のクラスのうち一つであると判断される。クラスはランク指示子（ＲＩ）関連報告タイプと広帯域（ＷＢ）Ｗ１報告タイプを含む第１クラスと、ＷＢ報告タイプとＷＢチャネル品質指示子（ＣＱＩ）報告タイプのうち少なくとも一つを含む第２クラスと、サブバンド（ＳＢ）関連報告タイプ及びＷ１報告タイプのうち少なくとも一つを含む第３クラスと、を含む。その方法はまた、優先順位規則に従って優先順位を割り当てる優先順位規則をクラスのうち一つに適用するステップと、ＣＳＩフィードバック報告を伝送して上位クラスに含まれた報告タイプを伝送し、下位クラスに含まれた報告タイプをドロップするようにするステップと、を含む。
【００１９】
加入者局から少なくとも２つのコンポーネント搬送波のチャネル特性を受信する方法が提供される。その方法は、少なくとも２つの個別に構成された物理的なアップリンク制御チャネル（ＰＵＣＣＨ）の前記少なくとも２つのコンポーネント搬送波に対する周期的なチャネル状態情報（ＣＳＩ）のフィードバック報告を受信することである。その方法はまた、同じサブフレームで第１ＰＵＣＣＨの第１報告タイプと第２ＰＵＣＣＨの第２報告タイプが衝突する場合、２つの報告タイプそれぞれが複数のクラスのうち一つとして分類されることを判断する。クラスはランク指示子（ＲＩ）関連報告タイプと広帯域（ＷＢ）Ｗ１報告タイプを含む第１クラスと、ＷＢ報告タイプとＷＢチャネル品質指示子（ＣＱＩ）報告タイプのうち少なくとも一つを含む第２クラスと、サブバンド（ＳＢ）関連報告タイプ及びＷ１報告タイプのうち少なくとも一つを含む第３クラスと、を含む。また、その方法は、優先順位規則を適用して上位クラスに含まれた報告タイプを受信し、下位クラスに含まれた報告タイプをドロップすることを確認するステップを含む。
【００２０】
下記の詳細な説明を作成する前に、本明細書全体で使用される単語と句に対する定義を提示することが有利であると思われる。用語「含む」及び「具備する」とそれの派生語は制限なく含むことを意味する。用語「また」は包括的な（ｉｎｃｌｕｓｉｖｅ）ものであって「及び／又は」を意味する。句「〜と連係された」及び「〜の中で連携された」とそれの派生語は〜を含む、〜内で含む、〜と相互接続する、〜を含有する、〜内で含有される、〜に又は〜と連結された、〜に又は〜と結合された、〜と通信可能な、〜と協力する、〜を差し込む、〜と併置する、〜に近い、〜すべきである又は〜に結ばれた、〜を有する、〜の特性を有するなどを意味してもよい。そして、用語「制御部」は少なくとも一つの動作を制御する任意のディバイス、システム又はその一部を意味し、そのようなディバイスはハードウェア、ファームウェア又はソフトウェア、又はそれらのうち少なくとも２つの結合で具現されてもよい。任意の特別な制御部と連係された機能は集中されているか局部的に或いは遠い距離に配分されてもよい。ある単語と句に対する定義は本明細書全般にわたって提供され、その技術が属した分野の当業者は、殆どの場合ではなくても多くの場合、そのような定義が将来だけでなくそれ以前にもそのように定義された単語と句を使用するのに適用されていたということを理解すべきである。
【発明の効果】
【００２１】
本発明は無線ネットワークにおける搬送波集積のための周期的なチャネル状態報告のためのシステム及びその方法を提供するため、効率が高いという利点がある。
【００２２】
本発明とその長所に対するより完全な理解のために、添付した図面を参照して以下の詳細な説明がなされる。図面において、同じ参照番号は同じ構成要素を示す。
【図面の簡単な説明】
【００２３】
【図１】本発明の原理によるＰＵＣＣＨ及びＰＵＳＣＨに対するフィードバックを行う例示的な無線ネットワークを示す図である。
【図２】本発明の一実施形態による複数の移動局と通信する基地局を示す図である。
【図３】本発明の一実施形態による４ｘ４多重入力、多重出力（ＭＩＭＯ）システムを示す図である。
【図４】本発明の一実施形態による例示的な無線加入者局を示す図である。
【図５】本発明の一実施形態によるダウンリンクコンポーネント搬送波のための独立的なＰＵＣＣＨフィードバックプロセスを示す図である。
【図６】本発明の実施形態によるＰＴＩ基盤のＰＵＣＣＨ報告を示す図である。
【図７】本発明の実施形態によるＰＵＣＣＨへのアップリンク制御情報（ＵＣＩ）のマッピングを示す図である。
【発明を実施するための形態】
【００２４】
下記で議論される図１乃至図７及び本明細書で本発明の原理を説明するために使用される多様な実施形態は単に説明のためのものであり、本発明の範囲を制限するいかなる方式としても解釈されてはならない。本技術が属する分野の当業者は、本発明の原理が任意の適切に配置された無線通信システムで具現され得るということを理解できるはずである。
【００２５】
現在、搬送波集積ケースのための周期的なＣＱＩ／ＰＭＩ／ＲＩフィードバック伝送方法は確認されていない。よって、ＰＵＳＣＨ資源の可用性に応じてサブフレームで（Ａｃｋ（ａｃｋｎｏｗｌｅｄｇｅｍｅｎｔ）／Ｎａｃｋ（Ｎｅｇａｔｉｖｅ  ａｃｋｎｏｗｌｅｄｇｅｍｅｎｔ）のない）周期的なＣＱＩ／ＰＭＩ／ＲＩのみを伝送する場合に対し、搬送波集積における周期的なチャネル報告に関する２つの主要な問題がある。本発明の実施形態はＰＵＳＣＨ資源を使用することができず、ＣＱＩ／ＰＭＩ／ＲＩが一つのサブフレームで一つのダウンリンクコンポーネント搬送波（ＣＣ）に対してのみ報告される際、その報告がいかなるダウンリンクコンポーネント搬送波に当たるのかを決定するのである。また、本発明の実施形態はＰＵＳＣＨ資源を使用することができる際、加入者局がどのようにＰＵＳＣＨで多重ＤＬ  ＣＣからＣＱＩ／ＰＭＩ／ＲＩを報告するのかを説明する。
【００２６】
図１は、本発明の原理による物理的なアップリンクチャネル（ＰＵＣＣＨ）及び物理的なアップリンク共有チャネル（ＰＵＳＣＨ）に対するフィードバックを行う例示的な無線ネットワーク１００を示す図である。図示した実施形態において、無線ネットワーク１００は基地局（ＢＳ）１０１、基地局１０２、基地局１０３及び他の類似した基地局（図示せず）を含む。基地局１０１はインターネット１３０又は類似したＩＰ基盤ネットワーク（図示せず）と通信する。
【００２７】
ネットワークのタイプに応じて、例えば、「ｅＮｏｄｅＢ」又は「アクセスポイント」のような公知の他の用語が「基地局」の代わりに使用されてもよい。簡便に、用語「基地局」は本明細書で遠隔端末機に無線アクセスを提供するネットワークインフラストラクチャ（infrastructure）コンポーネントを指すものとして使用される。
【００２８】
基地局１０２は、基地局１０２のカバレッジ領域１２０内でインターネット１３０に複数の第１移動局（又はユーザ端末機）に対する無線広帯域アクセスを提供する。複数の第１移動局は、スモールビジネス（ＳＮＢ）に位置する移動局１１１、企業（Ｅ）に位置する移動局１１２、ＷｉＦｉホットスポット（ＨＳ）に位置する移動局１１３、第１居住地（Ｒ）に位置する移動局１１４、第２加入者局（Ｒ）に位置する移動局１１５、携帯電話、無線ラップトップ、無線ＰＤＡなどのような移動装置（Ｍ）である移動局１１６を含む。
【００２９】
簡便に、用語「基地局」は本明細書で基地局に無線で接続する任意の遠隔無線装置、移動局が本当の移動装置（例えば、携帯電話）又は普段は静止している装置（例えば、デスクトップＰＣ、自動販売機など）として考慮されるのかを指定する。「加入者局（ＳＳ）」、「遠隔端末機（ＲＴ）」、「無線端末機（ＷＴ）」、「ユーザ端末機（ＵＥ）」などのような公知の用語が「基地局」の代わりに使用されてもよい。
【００３０】
基地局１０３は、基地局１０３のカバレッジ領域１２５内で複数の第２移動局にインターネット１３０に対する無線広帯域アクセスを提供する。複数の第２移動局は、移動局１１５及び移動局１１６を含む。例示的な実施形態において、基地局１０１乃至１０３は互いに通信し、移動局１１１乃至１１６はＯＦＤＭ又はＯＦＤＭＡ技術を利用して通信する。
【００３１】
図１には６個の移動局のみが図示されているが、無線ネットワーク１００は追加的な移動局に対する無線広帯域アクセスを提供することができる。移動局１１５及び移動局１１６は、カバレッジ領域１２０及びカバレッジ領域１２５両方の縁に位置する。移動局１１５及び移動局１１６はそれぞれ基地局１０２及び基地局１０３と通信し、当業者に公知のハンドオフ（ｈａｎｄｏｆｆ）モードで動作するといえる。
【００３２】
コードブック設計に基づいた閉ループ伝送ビームフォーミング方式に対する例示的な説明は、以下で確認することができる。１）Ｄ．Ｌｏｖｅ，Ｊ，Ｈｅａｌｔｈ，ａｎｄ  Ｔ．Ｓｔｒｏｈｍｅｒ，“Ｇｒａｓｓｍａｎｎｉａｎ  Ｂｅａｍｆｏｒｍｉｎｇ  Ｆｏｒ  Ｍｕｌｔｉｐｌｅ−ｉｎｐｕｔ，Ｍｕｌｔｉｐｌｅ−Ｏｕｔｐｕｔ  Ｗｉｒｅｌｅｓｓ  Ｓｙｓｔｅｍｓ”，ＩＥＥＥ  Ｔｒａｎｓａｃｔｉｏｎｓ  ｏｎ  Ｉｎｆｏｒｍａｔｉｏｎ  Ｔｈｅｏｒｙ，Ｏｃｔｏｂｅｒ，２００３，及び２）Ｖ．Ｒａｇｈａｖａｎ，Ａ．Ｍ．Ｓａｙｅｅｄ，ａｎｄ  Ｎ．Ｂｏｓｔｏｎ，“Ｎｅａｒ−Ｏｐｔｉｍａｌ  Ｃｏｄｅｂｏｏｋ  Ｃｏｎｓｔｒｕｃｔｉｏｎｓ  Ｆｏｒ  Ｌｉｍｉｔｅｄ  Ｆｅｅｄｂａｃｋ  Ｂｅａｍｆｏｒｍｉｎｇ  Ｉｎ  Ｃｏｒｒｅｌａｔｅｄ  ＭＩＭＯ  Ｃｈａｎｎｅｌｓ  Ｗｉｔｈ  Ｆｅｗ  Ａｎｔｅｎｎａｓ”，ＩＥＥＥ  ２００６  Ｉｎｔｅｒｎａｔｉｏｎａｌ  Ｓｙｍｐｏｓｉｕｍ  ｏｎ  Ｉｎｆｏｒｍａｔｉｏｎ  Ｔｈｅｏｒｙ．ここで、十分に提示されているように、両方の参考文献は本発明に参照として統合される。
【００３３】
閉ループコードブック基板の伝送ビームフォーミングは、基地局が単一のユーザ又は多数のユーザに同時に同じ時間にいずれか一つの周波数で送信アンテナビームを形成する場合に使用される。そのようなシステムに対する例示的な説明は、本明細書で十分に提示されているように参照されて本発明に統合されているＱｕｅｎｔｉｎ  Ｈ．Ｓｐｅｎｃｅｒ，Ｃｈｒｉｓｔｉａｎ  Ｂ．Ｐｅｅｌ，Ａ．Ｌｅｅ  Ｓｗｉｎｄｌｅｈｕｒｓｔ，ｍａｒｔｉｎ  ｈａｒｒｄｔ，“Ａｎ  Ｉｎｔｒｏｄｕｃｔｉｏｎ  Ｔｏ  ｔｈｅ  Ｍｕｌｔｉ−Ｕｓｅｒ  ＭＩＭＯ  Ｄｏｗｎｌｉｎｋ”，ＩＥＥＥ  Ｃｏｍｍｕｎｉｃａｔｉｏｎ  Ｍａｇａｚｉｅｎ，Ｏｃｔｏｂｅｒ  ２００４で確認することができる。
【００３４】
コードブックは、移動局に公知の予め決定されたアンテナビームの集合である。コードブック基盤のプリコーディングＭＩＭＯは、ダウンリンク閉ループＭＩＭＯで重要なスペクトル効率利得を提供する。ＩＥＥＥ  ８０２．１６ｅ及び３ＧＰＰ  ＬＴＥ標準では、４つの送信（４−ＴＸ）アンテナで制限されたフィードバック基板の閉ループＭＩＭの構成が支援される。ＩＥＥＥ  ８０２．１６ｍ及び３ＧＰＰ  ＬＴＥアドバンス標準では、ピークスペクトル効率を提供するために８つの送信（８−ＴＸ）アンテナの構成が目立つプリコーディング閉ループＭＩＭＯダウンリンクシステムとして提案される。そのようなシステムに対する例示的な説明は、本明細書で十分に提示されているように参照されて本発明に統合されている３ＧＰＰ  Ｔｅｃｈｎｉｃａｌ  Ｓｐｅｃｉｆｉｃａｔｉｏｎ  Ｎｏ．３６．２１１，“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）：Ｐｈｙｓｉｃａｌ  Ｃｈａｎｎｅｌ  ａｎｄ  Ｍｏｄｕｌａｔｉｏｎ”で確認することができる。
【００３５】
チャネルサウンド信号又は共通パイロット信号（又はミッドアンブル（ｍｉｄｅａｍｂｌｅ））がデータを復調する目的で使用されない場合、位相補正過程に対する必要性を除去するために閉ループに変換されたコードブック基盤の伝送ビームフォーミングが使用されてもよい。そのようなシステムに対する例示的な説明は、本明細書で十分に提示されているように参照されて本発明に統合されているＩＥＥＥ  Ｃ９０２．１６ｍ−０８／１３４５ｒ２，“Ｔｒａｎｓｆｏｒｍａｔｉｏｎ  Ｍｅｔｈｏｄ  Ｆｏｒ  Ｃｏｄｅｂｏｏｋ  ｂａｓｅｄ  Ｐｒｅｃｏｄｉｎｇ”，Ｎｏｖｅｍｂｅｒ  ２００８で確認することができる。変換コードブック方法は多数の送信アンテナ間の位相補正の必要性を除去するだけでなく、チャネル相関情報を使用して特に高度に相関されたチャネルから標準コードブックの性能を向上させる。普通チャネル相関情報は２次統計に基づいて非常に遅く変わるが、これはシャドーイング（ｓｈａｄｏｗｉｎｇ）と経路損失のようなロングターム（ｌｏｎｇ−ｔｅｒｍ）チャネル効果と類似している。その結果、フィードバックオーバヘッド及び相関情報を使用した計算の複雑度は非常に低い。
【００３６】
図２は、本発明の一実施形態による複数の移動局２０２，２０４，２０６，２０８と通信する基地局２２０を示す図２００である。
【００３７】
図２に示したように、基地局２００は多数のアンテナビームを使用して多数の移動局と同時に通信し、各アンテナビームは同じ時間に同じ周波数で意図された移動局に向かって形成される。基地局２２０及び移動局２０２，２０４，２０６，２０８は、無線信号の送受信のために多数のアンテナを採用している。無線信号はＯＦＤＭ信号であってもよい。
【００３８】
本実施形態において、基地局２２０は各移動局に対する複数の送信機を介して同時にビームフォーミングを行う。例えば、基地局２２０はビームフォーミングされた信号２１０を介して移動局２０２にデータを、ビームフォーミングされた信号２１２を介して移動局２０４にデータを、ビームフォーミングされた信号２１４を介して移動局２０６にデータを、そしてビームフォーミングされた信号２１６を介して移動局２０８にデータを送信する。本発明の一部実施形態において、基地局２２０は移動局２０２，２０４，２０６，２０８に同時にビームフォーミングを行ってもよい。一部の実施形態において、各ビームフォービングされた信号は同じ時間に同じ周波数で意図された移動局に向かって形成される。明確にするために、基地局から移動局への通信はダウンリンク通信として参照され、移動局から基地局への通信はアップリンク通信として参照される。
【００３９】
基地局２２０及び移動局２０２，２０４，２０６，２０８は、無線信号の送受信のために多数のアンテナを採用する。無線信号はラジオ波（ｒａｄｉｏ  ｗａｖｅ）信号であってもよく、ＯＦＤＭ送信方式を含んで当業者に公知の送信方式を使用してもよいことを理解できるはずである。
【００４０】
移動局２０２，２０４，２０６，２０８は無線信号の受信し得る任意の装置であってもよい。移動局２０２，２０４，２０６，２０８の例としては、個人情報端末（ＰＤＡ）、ラップトップ、移動局、ハンドヘルド装置又はビームフォーミングされた送信を受信し得る任意の他の装置を含むが、それに限られない。
【００４１】
ＯＦＤＭ送信方式は周波数領域でデータを多重化するのに使用される。変調シンボルは周波数副搬送波に返送される。直交振幅変調（ＱＡＭ）に変調されたシンボルは直列−並列変換されて逆高速フーリエ変換（ＩＦＦＴ）に入力される。ＩＦＦＴの出力からＮ個の時間領域サンプルが得られる。ここで、ＮとはＯＦＤＭシステムによって使用されたＩＦＦＴ／高速フーリエ変換（ＦＦＴ）のサイズである。ＩＴＴＤが並列−直列変換された後、信号シーケンスにサイクリックプレフィックス（ＣＰ）が追加される。ＣＰは各ＯＦＤＭシンボルに追加されて多重経路フェージング（ｆａｄｉｎｇ）による衝撃を避けるか緩和する。その結果的なサンプルシーケンスがＣＰを有するＯＦＤＭシンボルと称される。受信側で完全な時間及び周波数同期化が行われると、受信機はまずＣＰを除去し、信号はＦＦＴに入力される前に並列−直列変換される。ＦＦＴの出力が並列−直列変換され、その結果ＱＡＭ変調シンボルはＱＡＭ復調機に入力される。
【００４２】
ＯＦＤＭシステムにおいて、全体の帯域幅は副搬送波と呼ばれる狭帯域周波数ユニットに分割される。副搬送波の数はシステムで使用されたＦＦＴ／ＩＦＦＴのサイズＮと同じである。一般に、周波数スペクトルの縁で一部の副搬送波がガード（ｇｕａｒｄ）副搬送波として予約されるため、データに使用される副搬送波の個数はＮより小さい。一般に、ガード副搬送波では情報が伝送されない。
【００４３】
各ＯＦＤＭシンボルが時間領域で有限なデュレーション（ｄｕｒａｔｉｏｎ）を有するため、副搬送波は周波数領域が互いに重畳される。しかし、送信機と受信機が完全な周波数同期を有するのであれば、サンプリング周波数で直交性が維持される。不完全な周波数同期又は高い移動性によって周波数オフセットが発生した場合、サンプリング周波数で副搬送波の直交性が破壊されて搬送波間干渉（ＩＣＩ）が発生する。
【００４４】
無線通信チャネルの容量と信頼度を改善するために基地局と単一移動局両方で多数の送信アンテナ及び多数の受信アンテナを使用することは、単一ユーザＭＩＭＯ（ＳＵ−ＭＩＭＯ）と知られている。ＭＩＭＯシステムの容量は、Ｋが送信アンテナの個数（Ｍ）及び受信アンテナの個数（Ｎ）の最小値（即ち、Ｋ＝ｍｉｎ（Ｍ，Ｎ））である際、Ｋに応じて線形増加する。ＭＩＭＯシステムは空間多重化、送受信ビームフォーミング又は送受信ダイバーシティ（ｄｉｖｅｒｓｉｔｙ）方式で具現されてもよい。
【００４５】
図３は、本発明の一実施形態による４ｘ４ＭＩＭＯシステム３００を示す図である。この例において、４つの他のデータストリーム３０２が４つの伝送アンテナ３０４を使用して別途に伝送される。伝送された信号は４つの受信アンテナ３０６で受信されて受信信号３０８として解析される。４つのデータストリーム３１２を復元するために、一部形態の空間信号処理３１０が受信された信号３０８に対して行われる。
【００４６】
空間信号処理の例がＶ−ＢＬＡＳＴ（Ｖｅｒｔｉｃａｌ  Ｂｅｌｌ  Ｌａｂｏｒａｔｏｒｉｅｓ  Ｌａｙｅｒｅｄ  Ｓｐａｃｅ−Ｔｉｍｅ）であり、伝送されたデータストリームを復元するために連続干渉除去原理を使用する。ＭＩＭＯ方式の他の変種は、伝送アンテナにわたってある種の空間−時間コーディングを行う方式（例えば、Ｄ−ＢＬＡＳＴ（Ｄｉａｇｏｎａｌ  Ｂｅｌｌ  Ｌａｂｏｒａｔｏｒｉｅｓ  Ｌａｙｅｒｅｄ  Ｓｐａｃｅ−Ｔｉｍｅ））を含む。また、ＭＩＭＯは伝送−及び−受信ダイバーシティ方式及び伝送−及び−受信ビームフォーミング方式で具現され、無線通信システムでリンクの信頼度又はシステムの容量を改善する。
【００４７】
ＭＩＭＯチャネルの測定は、各伝送アンテナから各受信アンテナまでのリンクに対するチャネル利得及び位相情報を推定することで行われる。よって、ＮｘＭ  ＭＩＭＯシステムに対するチャネル応答、Ｈは以下のようなＮｘＭ行列で示すことができる。
【００４８】
【数１】
0005905484.tif 000002
【００４９】
ＭＩＭＯチャネル応答はＨとして表現され、ＮＭは伝送アンテナＮから受信アンテナＭまでのチャネル利得を示す。ＭＩＭＯチャネル行列のエレメントの推定を稼動させるために、別途のパイロットが各伝送アンテナから伝送されてもよい。
【００５０】
単一ユーザＭＩＭＯ（ＳＵ−ＭＩＭＯ）の拡張として、多数ユーザＭＩＭＯ（ＭＵ−ＭＩＭＯ）は無線通信チャネルの容量と信頼度を改善するために多数の伝送アンテナを有する基地局が空間分割多重アクセス（ＳＭＤＡ）のような多数ユーザビームフォーミング方式を利用して多数の移動局と同時に通信する通信シナリオである。
【００５１】
図４は、本発明の一実施形態による例示的な無線加入者局を示す図である。図４に示された無線加入者局１１６の実施形態は、単に説明のためのものである。無線加入者局１１６に対する他の実施形態は、本発明の範囲を逸脱することなく使用される。
【００５２】
無線加入者局１１６は、アンテナ４０５、無線周波数（ＲＦ）トランシーバー４１０、送信（ＴＸ）処理回路部４１５、マイクロフォン４２０及び受信（ＲＸ）処理回路部４２５を含む。ＳＳ１１６また、スピーカ４３０、メインプロセッサ４４０、入出力（Ｉ／Ｏ）インターフェース（ＩＦ）４４５、キーパッド４５０、ディスプレイ４５５及びメモリ４６０を含む。メモリ４６０は基本的なオペレーティングシステム（ＯＳ）プログラム４６１及び複数のアプリケーション４６２を更に含む。複数のアプリケーションは、クラスに応じたフィードバック報告タイプを分離するプロセスを含んでもよい。
【００５３】
ＲＦトランシーバー４１０は、アンテナ４０５から無線ネットワーク１００の基地局から送信されたインカミング（ｉｎｃｏｍｉｎｇ）ＲＦ信号を受信する。ＲＦトランシーバー４１０はインカミングＲＦ信号をダウン変換（ｄｏｗｎ−ｃｏｎｖｅｒｔ）し、中間周波数（ＩＦ）又はベースバンド信号を生成する。ＩＦ又はベースバンド信号は、ベースバンド信号又はＩＦ信号をフィルタリング、復号化及び／又はデジタル化してベースバンド信号を生成するＲＸ処理回路部４２５に送信される。ＲＸ処理回路部４２５は、処理されたベースバンド信号をスピーカ４３０（即ち、音声データ）又は追加処理（例えば、ウェブブラウジング）のためにメインプロセッサ４４０に送信する。
【００５４】
ＴＸ処理回路部４１５は、マイクロフォン４２０からアナログ又はデジタルデータ、又はメインプロセッサ４４０から他のアウトゴーイング（ｏｕｔｇｏｉｎｇ）ベースバンドデータ（例えば、ウェブデータ、電子メール、対話型ビデオゲームデータ）を受信する。ＴＸ処理回路部４１５は、アウトゴーイングベースバンドデータを符号化、多重化及び／又はデジタル化して処理されたベースバンド又はＩＦ信号を生成する。ＲＦトランシーバー４１０は、ＴＸ処理回路部４１５からアウトゴーイング処理されたベースバンド又はＩＦ信号を受信する。ＲＦトランシーバー４１０は、ベースバンド又はＩＦ信号をアンテナ４０５を介して送信されるＲＦ信号にアップ変換（ｕｐ−ｃｏｎｖｅｒｔ）する。
【００５５】
本発明の一実施形態において、メインプロセッサ４４０はマイクロプロセッサ又はマイクロコントローラである。メモリ４６０はメインプロセッサ４４０と結合する。本発明の一部の実施形態によると、メモリ４６０の一部はＲＡＭ（ｒａｎｄｏｍ  ａｃｃｅｓｓ  ｍｅｍｏｒｙ）を含み、メモリ４６０の他の一部はＲＯＭ（ｒｅａｄ  ｏｎｌｙ  ｍｅｍｏｒｙ）として動作するフラッシュ（ｆｌａｓｈ）メモリを含む。
【００５６】
メインプロセッサ４４０は、無線加入者局１１６の全体動作を制御するためにメモリ４６０に貯蔵されたオペレーティングシステム（ＯＳ）プログラム４６１を実行する。そのような動作の一つとして、メインプロセッサ４４０は公知の原理に従ってＲＦトランシーバー４１０、ＲＸ処理回路部４２５及びＴＸ処理回路部４１５による正方向チャンネル信号の受信及び逆方向チャンネル信号の伝送を制御する。
【００５７】
メインプロセッサ４４０はＲＩ関連、ＷＢ  ＣＱＩ関連、Ｗ１及びＷＢ  ＣＱＩ基盤のＰＴＩ＋ＳＢ関連報告を含み、クラスに応じたフィードバック報告タイプを分割する動作と一緒にメモリ４６０に常駐する他のプロセスとプログラムを実行する。メインプロセッサ４４０は、実行プロセスによって要求されるようにデータをメモリ４６０の中に又はメモリ４６０の外に移動させる。一部の実施形態において、メインプロセッサ４４０はクラスに応じてフィードバック報告タイプを分割するアプリケーションのような複数のアプリケーション４６２を実行する。メインプロセッサ４４０は、ＯＳプログラム４６１に基づいて又は基地局１０２から受信された信号に応答して複数のアプリケーション４６２を動作させる。メインプロセッサ４４０はまた、Ｉ／Ｏインターフェース４４５に結合される。Ｉ／Ｏインターフェース４４５は、加入者局１１６にラップトップコンピュータとハンドヘルドコンピュータのような他の装置に連結する機能を提供する。Ｉ／Ｏインターフェース４４５は、このアクセサリとメインプロセッサ４４０との間の通信経路である。
【００５８】
メインプロセッサ４４０はまた、キーパッド４５０及びディスプレイ部４５５と結合される。加入者局１１６のユーザ（ｏｐｅｒａｔｏｒ）は、キーパッド４５０を使用してデータを加入者局１１６に入力する。ディスプレイ部４５５は、テキスト及び／又は少なくともウェブサイトから受信した制限されたグラフィックをレンダリングし得る液晶ディスプレイであってもよい。他の実施形態は、他の形のディスプレイを使用してもよい。
【００５９】
図５は、本発明の一実施形態によるダウンリンクコンポーネント搬送波に対する独立的なＰＵＣＣＨフィードバックプロセスを示す図である。図５に示したＰＵＣＣＨフィードバックプロセス５００の実施形態は、単に説明のためのものである。他の実施形態は、本発明の範囲を逸脱せずに使用される。
【００６０】
搬送波集積において、周期的なＣＱＩ／ＰＭＩ／ＲＩ報告のためにＲｅｌ−８上位階層構成パラメータの集合が独立的に各ダウンリンク（ＤＬ）コンポーネント搬送波（ＣＣ）：ＤＬ  ＣＣ１５０５及びＤＬ  ＣＣ２５１０に対して構成される。これは、各ダウンリンクＣＣが独立的なＰＵＣＣＨフォードバックプロセスを有することを意味する。ＤＬ  ＣＣ１５０５及びＤＬ  ＣＣ２５１０がそれぞれ独立的にＰＵＣＣＨフィードバックとして構成されるため、フィードバックインスタンス（ｉｎｓｔａｎｃｅ）が衝突する恐れがある。即ち、多数のダウンリンクＣＣに対してＳＳ１１６がＣＱＩ／ＰＭＩ／ＲＩを報告する必要がある一部のサブフレームが存在する。例えば、ある時間インスタンス５１５において、ＤＬ  ＣＣ１５０５に対するＰＵＣＣＨフィードバックはＤＬ  ＣＣ２５１０に対するＰＵＣＣＨフィードバックと衝突（５２０）する。
【００６１】
ＰＵＳＣＨ資源を使用することができない場合、ネットワークはＤＬ  ＣＣ１５０５及びＤＬ  ＣＣ２５１０からＰＵＣＣＨ資源の間で衝突５２０が起こったサブフレームでＤＬ制御情報のコード点（ｃｏｄｅ−ｐｏｉｎｔ）を使用してＰＵＳＣＨ資源をスケジューリングする。このような方式で、衝突したＰＵＣＣＨ伝送に関するフィードバック情報が損失されことなく保護される。このような方式でＰＵＳＣＨをスケジューリングすることで、ランク指示子関連情報（例えば、報告タイプ３、報告タイプ５及び報告タイプ６）のような重要なフィードバック情報が保護される。
【００６２】
又は、ＰＵＳＣＨ資源を使用することができない場合、他のＰＵＣＣＨ資源を介してフィードバックコンテンツが返送されるように優先順位規則が提供され、どのコンテンツがＳＳ１１６によって伝送されるのかを決定する。また、優先順位規則はどのＰＵＣＣＨにコンテンツが返送されるのかを確認する。
【００６３】
一部の実施形態において、ＳＳ１１６はサブフレームから伝送されるフィードバックコンテンツを選択する。衝突５２０が起こると、選択されたフィードバックコンテンツが一つのＰＵＣＣＨ資源から伝送される。
【００６４】
例えば、選択されたフィードバックコンテンツを返送する該当ＰＵＣＣＨ資源は、ＰＵＣＣＨチャネル状態情報（ＣＳＩ）フィードバックがどのコンポーネント搬送波に当たるのかに関する情報を指す。よって、一例にＳＳ１１６が使用した一つのＰＵＣＣＨ資源は、無線資源制御（ＲＲＣ）を介して基地局１０２によって元々スケジューリングされた該当ＰＵＣＣＨ資源である。
【００６５】
他の例として、ＳＳ１１６が使用した一つのＰＵＣＣＨ資源は、ＣＳＩフィードバックのためにサブフレームで衝突（５２０）したＰＵＣＣＨ資源のうち最も低いＰＵＣＣＨ資源番号
【数２】
0005905484.tif 000003
を有するＰＵＣＣＨ資源である。
【００６６】
他の例として、一つのＰＵＣＣＨ資源は、ＣＳＩフィードバックのための全ての構成されたＰＵＣＣＨ資源のうち最も低いＰＵＣＣＨ資源番号
【数３】
0005905484.tif 000004
を有するＰＵＣＣＨ資源である。
【００６７】
他の例として、一つのＰＵＣＣＨ資源は、ＣＳＩフィードバックのためにサブフレームで衝突したＰＵＣＣＨ資源のうち最も高いＰＵＣＣＨ資源番号
【数４】
0005905484.tif 000005
を有するＰＵＣＣＨ資源である。
【００６８】
他の例として、一つのＰＵＣＣＨ資源は、ＣＳＩフィードバックのための全ての構成されたＰＵＣＣＨ資源のうち最も高いＰＵＣＣＨ資源番号
【数５】
0005905484.tif 000006
を有するＰＵＣＣＨ資源である。
【００６９】
また、具現の複雑度は図示された以前の例のうち一つを使用して減少される。
【００７０】
一部の実施形態において、報告タイプは３つの優先順位クラスとして分割される。報告タイプの分割は、報告コンテンツの重要性と他の報告との関連性に基づく。例えば、ランク報告は続くＰＭＩ報告とＣＱＩ報告に影響を及ぼすため重要である。また、広帯域ＣＱＩ／ＰＭＩ報告はサブバンドＣＱＩ／ＰＭＩ報告の許容に影響を及ぼすため重要である。よって、フィードバックコンテンツに対する優先順位規則は、該当ＰＵＣＣＨ資源から返送されるようにスケジューリングされるフィードバックタイプに従属される。
【００７１】
報告タイプを分割する一例として、ＳＳ１１６はＲＩ関連タイプ、広帯域（ＷＢ）フィードバック関連タイプ及びサブバンド（ＳＢ）フィードバック関連タイプに応じてフィードバックタイプを分割する。例えば、Ｄｏｃｕｍｅｎｔ  Ｎｏ．Ｒ１−１０６５５７，“ＣＲ０２７０  Ｉｎｔｒｏｄｕｃｔｉｏｎ  ｏｆ  Ｒｅｌ−１０  ｆｅａｔｕｒｅｓ”でリストとして作られた全ての報告タイプに対し、ＳＳ１１６は以下の分割を適用する。
【００７２】
クラス１．ＲＩに関連され、タイプ３報告、タイプ５報告及びタイプ６報告を含む。
【００７３】
クラス２．ＷＢに関連され、タイプ２報告、タイプ２ａ報告、タイプ２ｂ報告、タイプ２ｃ報告及びタイプ４報告を含む。
【００７４】
クラス３．ＳＢに関連され、タイプ１報告及びタイプ１ａ報告を含む。
【００７５】
また、優先順位リストはクラス番号に応じて定義される。また、「＞」は上位優先順位順番を有することを示す。即ち、クラスＡ＞クラスＢはクラスＡ報告がクラスＢ報告より高い優先順位を有することを意味する。よって、クラス１＞クラス２＞クラス３である。クラス１の報告はランク指示子に関する報告であるため、優先順位リストで最も優先順位が高い。そのような報告は普通比較的長い報告区間を有し、（存在するのであれば）続くクラス２及びクラス３報告に影響を及ぼすより重要なフィードバック情報を伝達する。クラス１報告がドロップされたら、クラス２及びクラス３の報告タイプに比べネットワークが情報を検索する時間がより長くなる。似たように、クラス２（ＷＢ関連フィードバック）報告は同じフィードバックモードでクラス３報告より相対的により長いフィードバック区間を有する。また、クラス２報告はクラス２報告に続くクラス３報告に影響を及ぼす可能性がある情報を伝達する。
【００７６】
報告タイプを分割する他の例として、ＳＳ１１６はＲＩ関連及びＷＢ  Ｗ１、ＷＢ  ＣＱＩフィードバック関連及びＳＢフィードバック関連報告に応じてフィードバックタイプを分割する。例えば、Ｄｏｃｕｍｅｎｔ  Ｎｏ．Ｒ１−１０６５５７，“ＣＲ０２７０  Ｉｎｔｒｏｄｕｃｔｉｏｎ  ｏｆ  Ｒｅｌ−１０  ｆｅａｔｕｒｅｓ”でリストとして作られた全ての報告タイプに対し、ＳＳ１１６は以下の分割を適用する。
【００７７】
クラス１．ＲＩに関連されてＷＢ  Ｗ１であり、タイプ２ａ報告、タイプ３報告、タイプ５報告及びタイプ６報告を含む。
【００７８】
クラス２．ＷＢ  ＣＱＩに関連され、タイプ２報告、タイプ２ｂ報告、タイプ２ｃ報告及びタイプ４報告を含む。
【００７９】
クラス３．ＳＢに関連され、タイプ１報告及びタイプ１ａ報告を含む。
【００８０】
タイプ２ａ報告はプリコーダタイプ指示子（ＰＴＩ）値が「０」に設定される場合にのみ伝送される広帯域ＰＭＩフィードバックタイプに対するものであるためクラス１（ＲＩ関連＋ＷＢ  Ｗ１）に含まれ、続くタイプ２ｂ報告に影響を及ぼす。よって、タイプ２ａ報告は他のＷＢ関連報告タイプに比べより重要であり、そのためより良い保護とより高い優先順位が要求される。
【００８１】
報告タイプを分割する他の例として、フィードバック分割はＲＩ関連、ＷＢ  ＣＱＩ関連、Ｗ１及びＰＴＩ＋ＳＢに基づいたＷＢ  ＣＱＩ関連報告に応じて分割される。例えば、Ｄｏｃｕｍｅｎｔ  Ｎｏ．Ｒ１−１０６５５７，“ＣＲ０２７０  Ｉｎｔｒｏｄｕｃｔｉｏｎ  ｏｆ  Ｒｅｌ−１０  ｆｅａｔｕｒｅｓ”でリストとして作られた全ての報告タイプに対し、ＳＳ１１６は以下の分割を適用する。
【００８２】
クラス１（ＲＩ関連）：タイプ３報告、タイプ５報告及びタイプ６報告
【００８３】
クラス２（ＷＢ  ＣＱＩ関連）：タイプ２報告及びタイプ４報告
【００８４】
クラス３（Ｗ１）：タイプ２ａ報告
【００８５】
クラス４（ＰＴＩ＋ＳＢに基づいたＷＢ  ＣＱＩ関連）：タイプ２ｂ報告、タイプ２ｃ報告、タイプ１報告及びタイプ１ａ報告
【００８６】
よって、ネットワーク１００は以下の規則を適用する。
【００８７】
クラス１＞クラス２＞クラス３＞クラス４
【００８８】
よって、ＰＵＣＣＨモード２−１に対するＷＢ  ＣＱＩ報告に比べ、ＰＵＣＣＨモード１−１に対するＷＢ  ＣＱＩに関するフィードバックタイプにより高い優先順位が存在する。即ち、ＰＵＣＣＨモード２−１に対するＷＢ  ＣＱＩの優先順位はＳＢ  ＣＱＩ関連フィードバックに対する優先順位と同じである。優先順位において、その類似性は図６に示したようにＰＴＩ値に実際に従属される該当ＰＵＣＣＨ報告資源に対するフィードバックコンテンツの結果である。
【００８９】
図６は、本発明の実施形態によるＰＴＩ基盤のＰＵＣＣＨ報告を示す図である。図６に示したＰＵＣＣＨ報告６００の実施形態は、単に説明のためのものである。他の実施形態は、本発明の範囲を逸脱せずに使用される。
【００９０】
ＳＳ１１６は、ＤＬコンポーネント搬送波それぞれに対する報告を提供する：ＤＬ  ＣＣ１６０５及びＤＬ  ＣＣ２６１０。タイプ２ｂ報告６１５が広帯域報告である場合にもネットワーク１００はＰＴＩ値を不正確に復号化する可能性があって、タイプ２ｂ報告６１５とタイプ１ａ報告６２０に混同を起こす恐れがある。よって、提案された優先順位クラスはタイプ２ｂ報告６１５及びタイプ１ａ報告６２０を同じ優先順位クラスに割り当ててこの特別な混合を解決する。
【００９１】
一部の実施形態において、報告タイプの各クラスは以下の優先順位クラスのうち一つを含む。
【００９２】
選択１：各報告タイプクラス内の優先順位はフィードバックモードに従属される。例えば、各報告クラス内でＰＵＣＣＨモード１−１（ＷＢフィードバックモード）に対するフィードバック報告は、ＰＵＣＣＨモード２−１（ＳＢフィードバックモード）に対する優先順位を有する。即ち、第１例示的分割に対し、クラス１報告に対する優先順位の順番は以下の通りである。
【００９３】
｛タイプ３報告、タイプ５報告｝＞タイプ６報告
【００９４】
また、ＰＵＣＣＨモード１−１のサブモード１（ＷＢフィードバックモード、ＲＩ＋Ｗ１フィードバック構成）に対するフィードバック報告は、ＰＵＣＣＨモード１−１サブモード２（ＷＢフィードバックモード、Ｗ１＋Ｗ２フィードバック構成）に対するフィードバック報告に対して優先順位を有する。即ち、同じ例示的な分割に対し、クラス１報告においてタイプ５報告＞タイプ３報告＞タイプ６報告である。この優先順位の順番は、ＰＵＣＣＨモード１−１内でタイプ５報告はタイプ３報告より多くの情報を含む。
【００９５】
また、一部の実施形態において、ＰＵＣＣＨモード１−１のサブモード２（ＷＢフィードバックモード、Ｗ１＋Ｗ２フィードバック構成）に対するフィードバック報告は、ＰＵＣＣＨモード１−１サブモード１（ＷＢフィードバックモード、ＲＩ＋Ｗ１フィードバック構成）のフィードバック報告に対して優先順位を有する。即ち、同じ例示的な分割に対し、クラス１報告においてタイプ３報告＞タイプ５報告＞タイプ６報告である。
【００９６】
選択２：各報告タイプクラス内の優先順位はコンポーネント搬送波ＩＤ（例えば、サービングセルのインデックス）に従属される。例えば、各報告クラス内での１次セル（Ｐｃｅｌｌ）に対するフィードバック報告は、全ての他のセル（Ｓｃｅｌｌｓ）に対するフィードバックモード報告に対して優先順位を有する。全ての他のセル（Ｓｃｅｌｌｓ）に対するフィードバック報告の場合、優先順位を搬送波ＩＤに基づいて規定する。一例に、低い搬送波ＩＤを有するコンポーネント搬送波に対するフィードバック報告は、高い搬送波ＩＤを有するコンポーネント搬送波に対するフィードバック報告より高い優先順位を有する。
【００９７】
一部の実施形態において、報告タイプに対する優先順位の順番はフィードバックモードに基づく。即ち、ＳＳ１１６は報告タイプを確認し、タイプがどのフィードバックモードに属するのかに応じて他のクラスに分割する。Ｄｏｃｕｍｅｎｔ  Ｎｏ．Ｒ１−１０６５５７，“ＣＲ０２７０  Ｉｎｔｒｏｄｕｃｔｉｏｎ  ｏｆ  Ｒｅｌ−１０  ｆｅａｔｕｒｅｓ”でリストとして作られた全てのフィードバックタイプに対し、各フィードバックモードに対する報告タイプは以下のようにリスト化されてもよい。
【００９８】
ＰＵＣＣＨ１−１のサブモード１に対する報告タイプ：タイプ５報告及びタイプ２ｂ報告
【００９９】
ＰＵＣＣＨ１−１のサブモード２に対する報告タイプ：タイプ３報告、タイプ２ｃ報告、タイプ４報告
【０１００】
ＰＵＣＣＨ２−１に対する報告タイプ：タイプ６報告、タイプ１報告、タイプ１ａ報告及びタイプ２ａ報告
【０１０１】
ＰＵＣＣＨ２−０／１−０に対する報告タイプ：タイプ３報告及びタイプ４報告
【０１０２】
例えば、ＰＵＣＣＨ２−０／１−０に対する報告タイプは全てのフィードバックモードの間で最も高い優先順位を有してもよい。これは以下の関係でより明確になる。ＰＵＣＣＨ２−０／１−０に対する報告タイプ＞ＰＵＣＣＨ１−１のサブモード２に対する報告タイプ＞ＰＵＣＣＨ１−１サブモード１に対する報告タイプ＞ＰＵＣＣＨ２−１に対する報告タイプ。または、ＰＵＣＣＨ２−０／１−０に対する報告タイプ＞ＰＵＣＣＨ１−１のサブモード１に対する報告タイプ＞ＰＵＣＣＨ１−１サブモード２に対する報告タイプ＞ＰＵＣＣＨ２−１に対す報告タイプ。この優先順位は、ＰＵＣＣＨ２−０／１−０に対する報告タイプのみがシステム動作に重要なフィードバック情報を伝達する一方、他のフィードバックモードに対する報告タイプはシステムの最適化に不必要なＣＩＳ情報を伝達するためである。また、ＰＵＣＣＨ１−１に対するフィードバックコンテンツは主に広帯域情報に関するものであるが、ＰＵＣＣＨ２−１に対するフィードバックコンテンツは主にサブバンド情報に関するものである。広帯域情報がサブ帯域情報より重要であるため、ＰＵＣＣＨ１−１に対する報告タイプの優先順位はＰＵＣＣＨ２−１に対する他の報告タイプより上位にあるように定義される。
【０１０３】
一部の実施形態において、報告タイプの各クラス内での優先順位はコンポーネント搬送波ＩＤに従属される。例えば、各報告クラス内で１次セル（Ｐｃｅｌｌ）に対するフィードバック報告が全ての他のセル（２次セル又はＳｃｅｌｌｓ）に対するフィードバック報告に優先する。全ての他のセル（Ｓｃｅｌｌｓ）に対するフィードバック報告の場合、優先順位を搬送波ＩＤに基づいて規定される。一例に、低い搬送波ＩＤを有するコンポーネント搬送波に対するフィードバック報告は、高い搬送波ＩＤを有するコンポーネント搬送波に対するフィードバック報告より高い優先順位を有する。
【０１０４】
一部の実施形態において、報告タイプ間の上位優先順位の順番はコンポーネント搬送波ＩＤに基づく。例えば、Ｐｃｅｌｌに対する報告タイプが他のフィードバックタイプに対して最も高い優先順位を有する。また、低い搬送波ＩＤを有するＳｃｅｌｌの報告タイプは高い搬送波ＩＤを有するＳｃｅｌｌの報告タイプより高い優先順位を有する。
【０１０５】
一部の実施形態において、報告タイプ間の優先順位の順番は報告タイプの負荷（ｐａｙｌｏａｄ）に基づく。例えば、低い負荷を有する報告タイプは上位優先順位を有する。同じ負荷を有する報告タイプに対し、優先順位は一つ以上のコンポーネント搬送波ＩＤ及びＰｃｅｌｌに基づいて決定されてもよい。優先順位を負荷の大きさに基づくようにすることで、選択されたＰＵＣＣＨ資源がより良く保護される。低い負荷は基地局１０２が該当報告情報の復号化に成功する高い確率をもたらすためである。
【０１０６】
図７は、本発明の実施形態によるアップリンク制御情報（ＵＣＩ）のＰＵＣＣＨへのマッピングを示す図である。図７に示したＵＣＩマッピング７００の実施形態は、単に説明のためのものである。他の実施形態は、本発明の範囲を逸脱せずに使用される。
【０１０７】
ＰＵＳＣＨ資源の使用が可能であれば、多数のＤＬ  ＣＣからＰＵＳＣＨに対するＣＱＩ／ＰＭＩ／ＲＩが一緒に報告される。即ち、ＳＳ１１６はＰＵＳＣＨに対して多数のＤＬ  ＣＣからＣＱＩ／ＰＭＩ／ＲＩを報告する必要がある。
【０１０８】
一部の実施形態において、ＳＳ１１６に対するＣＳＩの報告回数がサブフレームにスケジューリングされ、ＰＵＣＳＨが多数のＣＳＩ報告にピギーバック（Ｐｉｇｇｙｂａｃｋ）して使用可能である場合、ＳＳ１１６はＣＳＩ報告回数に対するフィードバックコンテンツを２つのカテゴリ：ＲＩカテゴリ及びＣＱＩ／ＰＭＩカテゴリとしてグルーピングする。各カテゴリのフィードバックコンテンツは一緒に符合化され、符合化されたビットから生成された変調シンボルはＰＵＳＣＨの該当領域、カテゴリに応じてＲＩ領域７０５又はＣＱＩ領域７１０にマッピングされる。ＣＳＩ報告回数それぞれは、ＤＬ  ＣＣに対するＣＳＩフィードバック報告を含んでもよい。
【０１０９】
ＲＩ領域にピギーバックされるフィードバックコンテンツの負荷が１１ビットより大きいと、二重ＲＭモードがフィードバックコンテンツの符合化に使用される。よって、ＲＩ領域７０５にピギーバックされ得る最大負荷は２２ビットである。５つのタイプ５報告がサブフレームにスケジューリングされているのであれば２５ビットの負荷がＲＩ領域７１０にピギーバックされるが、これは従来のシステムでは不可能である。
【０１１０】
よって、一部の実施形態でＲＩ関連報告がＲＩ及び他のフィードバック情報を含み、サブフレームで少なくとも一つのＰＵＳＣＨがＳＳ１１６に対してスケジューリングされたのであれば、ＲＩ及び他のフィードバック情報の符合化及びマッピングは以下の代案のうち一つを選択して行われてもよい。一例に、他のフィードバック情報はタイプ５報告でＷ１である。他の例として、他のフィードバック情報はタイプ６報告でＰＴＩである。
【０１１１】
第１代案として、代案１．ＲＩ関連報告で情報ビットは他のＣＱＩ報告の情報ビットと一緒に符合化されてＰＵＳＣＨのＣＱＩ領域にマッピングされる。一例に、たった一つのタイプ５報告（ＲＩ＋Ｗ１）がサブフレームでＰＵＳＣＨと一緒にスケジューリングされる際、その一つのタイプ５報告は（３２，０）コードによって符合化されてＰＵＳＣＨのＣＱＩ領域７１０にマッピングされる。他の例として、一つのタイプ５報告（ＲＩ＋Ｗ１）及び一つのタイプ１報告（ＳＢ  ＣＱＩ）がサブフレームでＰＵＳＣＨと一緒にスケジューリングされる際、タイプ５報告及びタイプ１報告の情報ビットが結合される。その後、結合された情報ビットはチャネルコード（（３２，０）コード又はテールバイティング畳み込みコード（ｔａｉｌ−ｂｉｔｉｎｇ  ｃｏｍｖｏｌｕｔｉｏｎ  ｃｏｄｅ））と一緒に符合化されてＰＵＳＣＨのＣＱＩ領域７１０にマッピングされる。他の一例として、一つのタイプ５報告（ＲＩ＋Ｗ１）及び一つのタイプ３報告（ＲＩ）がサブフレームでＰＵＳＣＨと一緒にスケジューリングされる際、単一タイプ５報告は（３２，０）コードで符合化されてＰＵＳＣＨのＣＱＩ領域にマッピングされる一方、単一タイプ３報告はチャネルコード（（３２，０）コード又は単純（ｓｉｍｐｌｅｘ）コード）で符合化されてＰＵＳＣＨのＲＩ領域７０５にマッピングされる。
【０１１２】
ＲＩ関連報告がＰＵＳＣＨのＣＱＩ領域７１０にマッピングされる際、一緒に符合化されたＲＩ関連報告に対するより良い保護を提供するためにベータオフセット値が調製されてもよい。例えば、ＲＩ関連報告がＣＱＩ領域７１０にマッピングされる場合、ＲＩに対するベータオフセット値はＰＵＳＣＨの（資源エレメント面での）ＣＱＩ領域７１０の大きさを決定するのに使用される。しかし、正常的な場合ＣＱＩ／ＰＭＩのみがＣＱＩ領域７１０にマッピングされ、ＣＱＩに対するベータオフセット値は（資源エレメント面での）ＣＱＩ領域１７０の大きさを決定するのに使用される。
【０１１３】
他の代案として、代案２．ＲＩ関連報告で情報は２セットの情報ビット：ＲＩ及び（Ｗ１又はＰＴＩのような）他のフィードバックコンテンツに分離される。ＲＩはＲＩ領域７０５にマッピングされ、他のフィードバックコンテンツはＰＵＳＣＨにＣＱＩ領域７１０でマッピングされる。
【０１１４】
一例に、たった一つのタイプ５報告（ＲＩ＋Ｗ１）がサブフレームでＰＵＳＨＣと一緒にスケジューリングされる。サブフレームでＰＳＵＣＨがスケジューリングされていないのであれば、ＲＩ＋Ｗ１は表１に示したように５ビットの情報でマッピングされてＰＵＣＣＨに伝送される。        
【０１１５】
［表１］ＲＩ＋Ｗ１の合同マッピング
【表１】
0005905484.tif 000007
【０１１６】
又は、一つのＰＵＳＣＨがサブフレームでスケジューリングされるため、タイプ５報告はＰＵＳＣＨでピギーバックされてもよい。ＲＩ＋Ｗ１で構成されたタイプ５報告をピギーバックするため、ＳＳ１１６は表２のように情報をＲＩ（３ビットＲＩ：ｂ１１，ｂ１２，ｂ１３）及びＷ１（３ビットＰＭＩ：ｂ２１，ｂ２２，ｂ２３）に分割する。
【０１１７】
［表２］ＲＩ＋Ｗ１情報のＲＩとＷ１とへの分割
【表２】
0005905484.tif 000008
【０１１８】
次に、再符号化された（ｒｅ−ｃｏｄｅｄ）Ｗ１（ｂ２１，ｂ２２，ｂ２３）がＰＵＳＣＨのＣＱＩ領域７１０に配置される間、ＳＳ１１６は再符号化されたＲＩ（ｂ１１，ｂ１２，ｂ１３）をＲＩ領域７０５に配置する。
【０１１９】
他の例として、一つのタイプ５報告（ＲＩ＋Ｗ１）及び一つのタイプ１報告（ＳＢ  ＣＱＩ）がサブフレームでＰＵＳＣＨと一緒にスケジューリングされる際、ＳＳ１１６は再符号化されたタイプ５報告のＷ１ビット（ｂ２１，ｂ２２，ｂ２３）とタイプ１報告のビットを結合する。その後、ＳＳ１１６は結合された情報ビットをチャネルコード（（３２，０）コード又はテールバイティング畳み込みコード）に統合符合化する。その後、ＳＳ１１６はＰＵＳＣＨにＣＱＩ領域（＆１０）で統合符合化されて結合された情報ビットをマッピングする。そして、再符号化されたＲＩビット（ｂ１１，ｂ１２，ｂ１３）をＰＵＳＣＨのＲＩ領域７０５にマッピングする。
【０１２０】
他の例として、一つのタイプ５報告（ＲＩ＋Ｗ１）と一つのタイプ３報告（ＲＩ）がサブフレームでＰＵＳＣＨと一緒にスケジューリングされる際、ＳＳ１１６はタイプ５報告の再符号化されたＷ１ビット（ｂ２１，ｂ２２，ｂ２３）を（３２，０）コードに符合化し、再符号化されたＷ１ビットをＰＵＳＣＨのＣＱＩ領域７０５にマッピングする。また、ＳＳ１１６は再符号化されたＲＩビット（ｂ１１，ｂ１２，ｂ１３）と一つのタイプ２報告のビットをチャネルコード（（３２，０）コード又は単純コード）に符合化し、再符号化されたＲＩビット（ｂ１１，ｂ１２，ｂ１３）とタイプ３報告のビットをＰＵＳＣＨのＲＩ領域７０５にマッピングする。
【０１２１】
第３代案として、代案３．ＳＳ１１６はタイプ５報告の上位３ビットを他のＲＩ関連情報と一緒に符合化する。ＳＳ１１６はタイプ５報告の残りの負荷を他のＰＭＩ／ＣＱＩ関連情報と一緒に符合化し、ＣＱＩ領域７１０に配置しながら統合符合化されたビットをＲＩ領域７０５に配置する。
【０１２２】
本発明は例示的な実施形態で説明されたが、多様な変更と変形が当業者に提示されてもよい。本発明はそのような変更と変形が添付した特許請求の範囲内に含まれるように意図される。
【符号の説明】
【０１２３】
１００  無線ネットワーク
１０１〜１０３  基地局
１１１〜１１６  移動局
１２０、１２５  カバレッジ領域
１３０  インターネット
２００  基地局
２０２、２０４、２０６、２０８  移動局
２１０、２１２、２１４、２１６  信号
３００  ＭＩＭＯシステム
３０２  データストリーム
３０４  伝送アンテナ
３０６  受信アンテナ
３０８  受信信号
３１０  空間信号処理
３１２  データストリーム
４１０  ＲＦトランシーバー
４１５  ＴＸ処理回路部
４２０  マイクロフォン
４２５  ＲＸ処理回路部
４３０  スピーカ
４４０  メインプロセッサ
４４５  入出力（Ｉ／Ｏ）インターフェース（ＩＦ）
４５０  キーパッド
４５５  ディスプレイ
４６０  メモリ
４６１  オペレーティングシステム（ＯＳ）プログラム
４６２  アプリケーション
【図１】
0005905484.tif 000009
【図２】
0005905484.tif 000010
【図３】
0005905484.tif 000011
【図４】
0005905484.tif 000012
【図５】
0005905484.tif 000013
【図６】
0005905484.tif 000014
【図７】
0005905484.tif 000015